(57)【要約】      （修正有）【課題】把持部を載置面に接触させない状態で置くことができると共に、種々の深さや形状を有する対象物に引掛けて保持することができるトングを提供する。【解決手段】載置面上に置いたときに左右一対の把持部２が載置面に接触するのを防ぐトングであり、左右一対の操作部４の長さ方向の下端側であって、載置面上に置いたときの載置面側に形成される左右一対の突起部７と、突起部と左右一対の操作柄部３との間に形成される左右一対の第１の切欠き部８と、左右一対の操作部４から連結部５にかけての間に左右一対の第２の切欠き部９とを設ける。用途や使用状況に合わせて色々な仮置き方法を選択しても、把持部が調理台や食卓等の載置面に接触することがなく、把持部を衛生的に保って清潔に使用することができる。【選択図】図１
0003206908.tif 000002
【実用新案登録請求の範囲】
【請求項１】
相対向してそれぞれ設けられると共に、把持対象物を把持する左右一対の把持部と、
前記左右一対の把持部を長さ方向の下端側に備え、左右一対の操作柄部を介して、相対向して上方に延びると共に、前記左右一対の把持部による把持および把持解除操作を行う左右一対の操作部と、
前記左右一対の操作部を、それぞれの上部において一体的に連結した連結部とを備え、
載置面上に置いたときに前記左右一対の把持部が該載置面に接触するのを防ぐように構成されたトングにおいて、
前記左右一対の操作部の長さ方向の下端側であって、前記載置面上に置いたときの載置面側に形成される左右一対の突起部と、前記左右一対の操作柄部との間に形成される左右一対の第１の切欠き部を設け、
前記左右一対の操作部から前記連結部にかけての間に左右一対の第２の切欠き部を設けることを特徴とするトング。
【請求項２】
前記左右一対の第２の切欠き部を、前記載置面上に置いたときの前記載置面側とは反対側の面に設けることを特徴とする請求項１記載のトング。
【請求項３】
前記第１の切欠き部の第１の側面視投影面積の大きさが、前記第２の切欠き部の第２の側面視投影面積の大きさよりも大きいことを特徴とする請求項１または２記載のトング。
【請求項４】
前記第１の切欠き部の第１の挿入位置から第１の底部までの第１の深さが、前記第２の切欠き部の第２の挿入位置から第２の底部までの第２の深さよりも大きいことを特徴とする請求項１〜３のいずれか１項記載のトング。
【請求項５】
前記載置面上に置いたときに、少なくとも、前記左右一対の突起部の一部が該載置面に接触する第１の接触面と、前記連結部の一部が該載置面に接触する第２の接触面とを有することを特徴とする請求項１〜４のいずれか１項記載のトング。
【請求項６】
前記左右一対の第１の切欠き部を、縁部を有する対象物に引掛けたときに、少なくとも前記左右一対の第１の切欠き部の一部が前記縁部に接触する第３の接触面を有することを特徴とする請求項１〜５のいずれか１項記載のトング。
【請求項７】
前記左右一対の第２の切欠き部を、縁部を有する対象物に引掛けたときに、少なくとも前記左右一対の第２の切欠き部の一部が前記縁部に接触する第４の接触面を有することを特徴とする請求項１〜６のいずれか１項記載のトング。
【考案の詳細な説明】
【技術分野】
【０００１】
本考案は、３つの載置または引掛方法が可能なトングに関する。
【０００２】
従来、業務用および家庭用に用いられる例えば調理用のトングに関し、載置面上に寝かせた状態で置いたときに、トングの先端部分が載置面に接触するのを防ぐために、載置隆起部を設けたり（例えば、特許文献１）、突出部と中間突出部を載置面上に接触させたりして（例えば、特許文献２）、把持部を浮かせるよう構成することが提案されている。
【０００３】
トングの別な載置方法として、トングを例えば容器の縁部に引掛ける方法がある。このようなトングとしては、左右一対の操作部をそれぞれの上部において一体的に連結した連結部に、突設した掛止部を設け、この掛止部を容器の縁部に引掛けた状態で容器内にトングを立て掛けることで、トングが容器内容に滑り落ちないようにするものが提案されている（例えば、特許文献３）。
【先行技術文献】
【特許文献】
【０００４】
【特許文献１】実用新案登録第３１７７２１８号公報
【特許文献２】実用新案登録第３１７４６２７号公報
【特許文献３】特開２０００−１９７５５３号公報
【考案の開示】
【考案が解決しようとする課題】
【０００５】
特許文献１および２のトングでは、先端部分を浮かせて載置面上に置く方法は平面状の載置面に置く場合のみに限られる。また、このように載置する場合には、トングの長手方向が載置面に平行になるような状態、すなわちトングを寝かした状態で置かれるので、載置面上にある程度のスペースが必要となる。
【０００６】
特許文献３のトングでは、簡易な突設部が容器の縁部に引掛けられているのみであるので、例えば容器を動かした場合に、トングが容易に容器内に滑り落ちて、トングの把持部以外も汚れてしまう虞がある。
【０００７】
本考案は上記問題点を解決するものであり、把持部を載置面に接触させない状態で置くことができるとともに、種々の深さや形状を有する対象物に引掛けて保持することができるトングを提供することを目的とする。
【課題を解決するための手段】
【０００８】
請求項１の考案は、相対向してそれぞれ設けられると共に、把持対象物を把持する左右一対の把持部と、前記左右一対の把持部を長さ方向の下端側に備え、左右一対の操作柄部を介して、相対向して上方に延びると共に、前記左右一対の把持部による把持および把持解除操作を行う左右一対の操作部と、前記左右一対の操作部を、それぞれの上部において一体的に連結した連結部とを備え、載置面上に置いたときに前記左右一対の把持部が該載置面に接触するのを防ぐように構成されたトングにおいて、前記左右一対の操作部の長さ方向の下端側であって、前記載置面上に置いたときの載置面側に形成される左右一対の突起部と、前記左右一対の操作柄部との間に形成される左右一対の第１の切欠き部を設け、前記左右一対の操作部から前記連結部にかけての間に左右一対の第２の切欠き部を設けることを特徴とする。
【０００９】
請求項１の構成によれば、トングを寝かせた状態で置く場合には、把持部を載置面に接触させない状態で置くことができるので、把持部を衛生的に保って清潔に使用することができる。調理台や食卓等の載置面上に十分なスペースがないなど、トングを寝かせた状態で置くことができない場合でも、第１および第２の切欠き部を設けることで、トングを種々の深さや形状を有する対象物に引掛けて保持することができるので、やはり把持部を載置面に接触させない状態でトングを置くことができる。すなわち、３つの載置または引掛方法を選択して利用することができ、トングの置き場所に困ることがない。
【００１０】
請求項２の考案は、前記左右一対の第２の切欠き部を、前記載置面上に置いたときの前記載置面側とは反対側の面に設けることを特徴とする。
【００１１】
請求項２の構成によれば、トングを寝かせた状態で置いた場合に、左右一対の第２の切欠き部が載置面に接触することがないので、第２の切欠き部を衛生的に保って清潔に使用することができる。
【００１２】
請求項３の考案は、前記第１の切欠き部の第１の側面視投影面積の大きさが、前記第２の切欠き部の第２の側面視投影面積の大きさよりも大きいことを特徴とする。
【００１３】
請求項３の構成によれば、深さが深いものおよび浅いもの、並びに、底面からの立ち上がり部が急なものおよび緩やかなものなど、種々の深さや形状を有する対象物に対応することができる。
【００１４】
請求項４の考案は、前記第１の切欠き部の第１の挿入位置から第１の底部までの第１の深さが、前記第２の切欠き部の第２の挿入位置から第２の底部までの第２の深さよりも大きいことを特徴とする。
【００１５】
請求項４の構成によれば、深さが深いものおよび浅いもの、並びに、底面からの立ち上がり部が急なものおよび緩やかなものなど、種々の深さや形状を有する対象物に対応することができる。
【００１６】
請求項５の考案は、前記載置面上に置いたときに、少なくとも、前記左右一対の突起部の一部が該載置面に接触する第１の接触面と、前記連結部の一部が該載置面に接触する第２の接触面とを有することを特徴とする。
【００１７】
請求項５の構成によれば、載置面に接触する少なくとも２つの接触面を有することで、トングの把持部を浮かせながら安定して置くことができる。
【００１８】
請求項６の考案は、前記左右一対の第１の切欠き部を、縁部を有する対象物に引掛けたときに、少なくとも前記左右一対の第１の切欠き部の一部が前記縁部に接触する第３の接触面を有することを特徴とする。
【００１９】
請求項６の構成によれば、対象物の縁部に第３の接触面が接触するようにして第１の切欠き部を引掛けることで、トングが対象物に安定して保持され、例えば対象物を動かした場合にも、トングが滑り落ちることがない。
【００２０】
請求項７の考案は、前記左右一対の第２の切欠き部を、縁部を有する対象物に引掛けたときに、少なくとも前記左右一対の第２の切欠き部の一部が前記縁部に接触する第４の接触面を有することを特徴とする。
【００２１】
請求項７の構成によれば、対象物の縁部に第４の接触面が接触するようにして第２の切欠き部を引掛けることで、トングが対象物に安定して保持され、例えば対象物を動かした場合にも、トングが滑り落ちることがない。
【考案の効果】
【００２２】
本考案では、３つの載置または引掛け方法が選択可能であり、用途や使用状況に合わせて３通りの仮置きが可能なトングを提供することができる。トングを寝かせた状態で載置する場合、および、縁部を有する対象物に引掛けて保持する場合の何れの仮置きを選択しても、把持部が調理台や食卓等の載置面に接触することがなく、把持部を衛生的に保って清潔に使用することができる。また、縁部を有する対象物に引掛けて保持する場合には、把持部に付着した汁や油等の滴下により調理台や食卓等が汚れることも防ぐことができる。
【図面の簡単な説明】
【００２３】
【図１】本考案の実施の形態に係るトングを示す斜視図である。
【図２】同上、上面図である。
【図３】同上、トングの使用例を示す側面図である。
【図４】同上、第１の切欠き部の形状を説明するための拡大図である。
【図５】同上、第２の切欠き部の形状を説明するための拡大図である。
【図６】同上、トングの使用例を示す側面図である。
【図７】同上、トングの使用例を示す側面図である。
【図８】同上、トングの使用例を示す側面図である。
【図９】同上、トングの使用例を示す側面図である。
【考案を実施するための形態】
【００２４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２５】
図１は本実施の形態のトング１を示す斜視図であり、図２は上面図である。同図に示すように、トング１は、少なくともその一部を１枚の細長な金属板を機械加工して製作されるものであり、相対向してそれぞれ設けられると共に、把持対象物（図示せず）を把持する左右一対の把持部２，２と、左右一対の把持部２，２を長さ方向（仮想直線Ｘの方向）の下端側（図２の左側）に備え、左右一対の操作柄部３，３を介して、相対向して上方（図２の右方向）に延びると共に、左右一対の把持部２，２による把持および把持解除操作を行う左右一対の操作部４，４と、左右一対の操作部４，４を、それぞれの上部において一体的に連結した連結部５とを備える。連結部５は、上方（図２の右方向）に向けて左右方向（仮想直線Ｗの方向）に湾曲するとともに、弾性を有する弾性湾曲状部６で構成される。尚、仮想直線Ｘは、一方の把持部２、操作柄部３、操作部４、弾性湾曲状部６を結ぶ仮想直線と、他方の把持部２、操作柄部３、操作部４、弾性湾曲状部６を結ぶ仮想直線との中間に位置する仮想直線であり、トング１の上下方向、すなわち長さ方向を規定する。仮想直線Ｗは、両側に配置される把持部２、操作柄部３、操作部４をそれぞれ左右一対としたときの方向であり、トング１の左右方向を規定する。
【００２６】
図中、左右の把持部２，２は同一形状であるが、左右一対の把持部２，２の形状や大きさは、左右で同じく対称であってもよいし、左右で異なり非対称であってもよい。トング１の材料としては、例えばステンレス鋼等の鉄系の材料や、アルミニウム等の金属材料を使用できる。また、トング１全体、または、把持部２等の一部のみを、合成樹脂製としてもよい。
【００２７】
図３は本実施の形態のトング１を符号11で示す調理台や食卓等の平坦な載置面10または載置面10の平坦な部分に置いた場合の側面図である。すなわち、トング１は寝かされた状態で載置される。トング１は、このようにして載置面10上に置いたときに、左右一対の把持部２，２が該載置面10に接触するのを防ぐように構成される。このような構成は、上述の構成に加え、載置面10上に置いたときの載置面10側に形成される左右一対の突起部７，７を設け、載置面10上に置いたときに、少なくとも、左右一対の突起部７の一部が該載置面10に接触する第１の接触面12と、連結部５の一部が該載置面10に接触する第２の接触面13とを有することで実現される。尚、接触面は２つに限られず、トング１の図中下方（図３の下側）に位置する底面全体が載置面10に接触するようにしてもよい。本実施の形態では、左右一対の操作部４，４は長さ方向（仮想直線Ｘの方向）の下方に向かって幅広（例えば幅Ａ１が幅Ａ２よりも大きい）に形成されている。しかしながら、操作部４の形状は、握りやすさや操作のしやすさを考慮して、適宜設計変更可能である。
【００２８】
左右一対の操作部４，４の長さ方向（仮想直線Ｘの方向）の下端側（図３の左側）であって、載置面10上に置いたときの載置面10側に形成される左右一対の突起部７，７と、左右一対の操作柄部３，３との間に、左右一対の第１の切欠き部８，８を設ける。
【００２９】
左右一対の操作部４，４から連結部５にかけての間に左右一対の第２の切欠き部９，９を設ける。左右一対の第２の切欠き部９，９は、載置面10上に置いたときの載置面10側とは反対側（図３の上側）の面に設けることが好ましい。
【００３０】
第１および第２の切欠き部８，９の形状および大きさは、特に限定されない。しかしながら、想定されるトング１の使用形態に合わせて、形状を最適化し、両者の大きさも大小関係を設けるとよい。大小関係に関しては、例えば、図３に示すように、第１の切欠き部８の第１の側面視投影面積15の大きさを、第２の切欠き部９の第２の側面視投影面積16の大きさよりも大きくすることができる。側面視とは、トング１の左右方向から見た場合のことをいう。尚、このような大小関係を、便宜的に第１の切欠き部８が第２の切欠き部９よりも大きいと表現することにする。また、これとは反対に、第１の切欠き部８の第１の側面視投影面積15の大きさを、第２の切欠き部９の第２の側面視投影面積16の大きさよりも小さくする、すなわち第１の切欠き部８を第２の切欠き部９よりも小さくすることもできる。
【００３１】
図４は、第１の切欠き部８の形状について説明するための拡大図である。図中、仮想直線Ｂは、突起部７の下方側（図４の左側）の先端点Ｈを通り、トング１を平坦な載置面10上に置いた場合にこの載置面10に垂直な直線である。この仮想直線Ｂは、対象物20の縁部21が挿入される下方側の境界位置を示すことを意図する。第１の切欠き部８は、仮想直線Ｂ上の先端点Ｈから操作柄部３までの幅Ｂ１を十分な大きさとし、幅Ｂ１の中心点Ｍ１から第１の切欠き部８の第１の底部Ｒ１までの距離Ｂ２、すなわち、Ｍ１を挿入位置として、第１の切欠き部８の第１の挿入位置Ｍ１から第１の底部Ｒ１までの第１の深さＢ２を比較的大きくとるように構成する。尚、本実施の形態では突起部７の先端部を円弧状にしているが、この形状に限定されるものではない。
【００３２】
図５は、第２の切欠き部９の形状について説明するための拡大図である。図中、仮想直線Ｃは、第２の切欠き部９が設けられた面において、連結部５から下方に向かって伸びる直線であり、対象物20の縁部21が挿入される位置の境界を示すことを意図する。第２の切欠き部９は、この仮想直線Ｃ上の幅Ｃ１を十分な大きさとする一方、幅Ｃ１の中心点Ｍ２から第２の切欠き部９の第２の底部Ｒ２までの距離Ｃ２、すなわち、Ｍ２を挿入位置として、第２の切欠き部９の第２の挿入位置Ｍ２から第２の底部Ｒ２までの第２の深さＣ２を、第１の切欠き部８の距離Ｂ２と比較して小さくとるように構成する。尚、底部Ｒ１およびＲ２は、第１の深さＢ２および第２の深さＣ２がそれぞれ最大となるようにとることが好ましい。
【００３３】
以上のように、距離Ｂ２が距離Ｃ２よりも大きい場合にも、第１の切欠き部８が第２の切欠き部９よりも大きいと表現することにする。これは、対象物20の縁部21が第１および第２の切欠き部８，９に挿入される位置から、縁部21が第１および第２の切欠き部８，９に接触する位置までの深さに基づいて、第１および第２の切欠き部８，９の大小を比較するものである。尚、この場合にも、第１の切欠き部８を第２の切欠き部９よりも小さくすることができる。
【００３４】
尚、上述の第１の側面視投影面積15は、仮想直線Ｂと第１の切欠き部８とで囲まれた部分の面積であり、第２の側面視投影面積16は、仮想直線Ｃと第２の切欠き部９とで囲まれた部分の面積である。
【００３５】
図６〜図９は、第１の切欠き部８または第２の切欠き部９を、上縁である縁部21を有する対象物20に引掛けて保持する例を示す側面図である。
【００３６】
図６は、第１の切欠き部８を、深さが比較的深く、底面22からの立ち上がりが比較的緩やかで、縁部21を有する対象物20たる保存容器25に引掛けて保持した様子を示す。一方、図７は、第１の切欠き部８を、深さは図６と同様に深いが、底面22からの立ち上がりが急で、縁部21を有する対象物20たるポットに引掛けて保持した様子を示す。トング１は、左右一対の第１の切欠き部８，８を縁部21に係止して、縁部21を有する対象物20に引掛けたときに、少なくとも左右一対の第１の切欠き部８，８の一部が縁部21に接触する第３の接触面30を有している。
【００３７】
図８は、第２の切欠き部９を、図６の保存容器25に比べて深さが浅く、底面22からの立ち上がりが比較的緩やかで、縁部21を有する対象物20たる浅い皿27に引掛けて保持した様子を示す。一方、図９は、第２の切欠き部９を、深さは図８と同様に浅いが、底面22からの立ち上がりが急で、縁部21を有する対象物20たるチェーファー（ビュッフェ容器）28に引掛けて保持した様子を示す。トング１は、左右一対の第２の切欠き部９，９を縁部21に係止して、縁部21を有する対象物20に引掛けたときに、少なくとも左右一対の第２の切欠き部９，９の一部が縁部21に接触する第４の接触面31を有している。
【００３８】
以上のように、縁部21を有する対象物20の深さや形状、使用状況等に合わせて、第１の切欠き部８と第２の切欠き部９とを使い分けることができる。尚、これらの使用例は一例にすぎず、その他の使用例も適宜可能である。例えば、把持部２が汚れていない場合は、把持部２を対象物20の外側に出して引掛けて、トング１を対象物20内の収容物に接触しないようにすることができる。
【００３９】
トング１の製造方法について概略を説明する。本実施の形態では、例えばステンレス等の１枚の金属板から、プレス加工によりトング全体を一体に形成し、完成品の形状に加工する。また、例えば把持部２のみを合成樹脂製とする場合には、インサート成形などにより、操作柄部３の下端に把持部２を一体成型して設けることができる。
【００４０】
上記の構成についてその作用を説明する。トング１は、トング１の本質的な機能として、把持対象物（図示せず）を把持する機能を有する。通常の状態では、弾性湾曲状部６の弾性力によって左右一対の把持部２，２は開状態にある。把持対象物を把持しようとする際は、左右一対の操作部４，４を外側より握ることにより、左右一対の把持部２，２が弾性湾曲状部６の弾性力に抗してＷ方向に閉状態となり、把持対象物を把持することができる。
【００４１】
調理中や調理の準備中、また料理を取り分けた後などに、トング１を調理台や食卓11等の載置面10に寝かした状態で置きたい場合には、トング１の第１の接触面12側の面を載置面10に接触するようにして置くことで、把持部２を浮かせた状態を維持することができる。これにより、トング１を一旦置いた後、再度使用するたびに把持部２を拭いたりすることなく、把持部２を衛生的に保って清潔に使用することができる。また、調理台や食卓11等の載置面10が、把持部２に付着していた汁や油等により汚れることもない。
【００４２】
深さが比較的深い縁部21を有する保存容器25やポット26に対しては、大きい切欠き部を有する第１の切欠き部８を引掛けるようにするとよい。深さが比較的浅い縁部21を有する浅い皿27やチェーファー28に対しては、小さい切欠き部を有する第２の切欠き部９を引掛けるようにするとよい。このように、種々の深さや形状を有する対象物20に対しても、トング１の第１の切欠き部８または第２の切欠き部９のいずれかを選択して引掛けることで、トング１を安定して対象物20に保持させることができる
【００４３】
例えば、ビュッフェ等では、多数の一般の客が同じトング１を用いて料理を取り分けていく。この際、人によってトング１の置き方が異なり、全ての客がチェーファーにしっかりと安定してトング１を置くとは限らない。しかしながら、第１および第２の切欠き部８，９を有することで、如何なる客でもトング１をチェーファーに仮置きすることが容易になり、トング１がチェーファー28の内部に滑り落ちることを防ぐことができる。
【００４４】
調理の下ごしらえ等の準備中や、調理中、調理後には、トング１を使用することが多いが、調理台や食卓11等には、トング１を寝かした状態で置くスペースが十分にない場合も多い。そのような場合でも、第１の切欠き部８または第２の切欠き部９を対象物20に引掛けることで、容易にトング１を仮置きすることができる。また、対象物20にトング１を引掛けたまま、対象物20を移動させるような場合にも、第１の切欠き部８の第３の接触面30、または、第２の切欠き部９の第４の接触面31が対象物20の縁部21にしっかりと安定して保持されるため、トング１が対象物20内に滑り落ちることを防ぐことができる。
【００４５】
本実施の形態では、請求項１に対応して、相対向してそれぞれ設けられると共に、把持対象物を把持する左右一対の把持部２，２と、左右一対の把持部２，２を長さ方向の下端側に備え、左右一対の操作柄部３，３を介して、相対向して上方に延びると共に、左右一対の把持部２，２による把持および把持解除操作を行う左右一対の操作部４，４と、左右一対の操作部４，４を、それぞれの上部において一体的に連結した連結部５とを備え、載置面10上に置いたときに左右一対の把持部２，２が該載置面10に接触するのを防ぐように構成されたトング１において、左右一対の操作部４，４の長さ方向の下端側であって、載置面10上に置いたときの載置面10側に形成される左右一対の突起部７，７と、左右一対の操作柄部３，３との間に形成される左右一対の第１の切欠き部８，８を設け、左右一対の操作部４，４から連結部５にかけての間に左右一対の第２の切欠き部９，９を設けるから、トング１を寝かせた状態で置く場合には、把持部２を載置面に接触させない状態で置くことができるので、把持部２を衛生的に保って清潔に使用することができる。調理台や食卓11等の載置面10上に十分なスペースがないなど、トング１を寝かせた状態で置くことができない場合でも、第１および第２の切欠き部８，９を設けることで、トング１を種々の深さや形状を有する対象物20に引掛けて保持することができるので、やはり把持部２を載置面10に接触させない状態でトング１を置くことができる。すなわち、３つの載置または引掛方法を選択して利用することができ、トング１の置き場所に困ることがない。
【００４６】
本実施の形態では、請求項２に対応して、左右一対の第２の切欠き部９を、載置面10上に置いたときの載置面10側とは反対側の面に設けるから、トング１を寝かせた状態で置いた場合に、左右一対の第２の切欠き部９が載置面10に接触することがないので、第２の切欠き部９を衛生的に保って清潔に使用することができる。
【００４７】
本実施の形態では、請求項３に対応して、第１の切欠き部８の第１の側面視投影面積15の大きさが、第２の切欠き部９の第２の側面視投影面積16の大きさよりも大きいから、深さが深いものおよび浅いもの、並びに、底面22からの立ち上がり部が急なものおよび緩やかなものなど、種々の深さや形状を有する対象物20に対応することができる。
【００４８】
本実施の形態では、請求項４に対応して、第１の切欠き部８の第１の挿入位置Ｍ１から第１の底部Ｒ１までの第１の深さＢ２が、第２の切欠き部９の第２の挿入位置Ｍ２から第２の底部Ｒ２までの第２の深さＣ２よりも大きいから、深さが深いものおよび浅いもの、並びに、底面22からの立ち上がり部が急なものおよび緩やかなものなど、種々の深さや形状を有する対象物20に対応することができる。
【００４９】
本実施の形態では、請求項５に対応して、載置面10上に置いたときに、少なくとも、左右一対の突起部７，７の一部が該載置面10に接触する第１の接触面12と、連結部５の一部が該載置面10に接触する第２の接触面13とを有するから、載置面10に接触する少なくとも２つの接触面12，13を有することで、トング１の把持部２を浮かせながら安定して置くことができる。
【００５０】
本実施の形態では、請求項６に対応して、左右一対の第１の切欠き部８，８を、縁部21を有する対象物20に引掛けたときに、少なくとも左右一対の第１の切欠き部８，８の一部が縁部に接触する第３の接触面30を有するから、対象物20の縁部21に第３の接触面30が接触するようにして第１の切欠き部８を引掛けることで、トング１が対象物20に安定して保持され、例えば対象物20を動かした場合にも、トング１が滑り落ちることがない。
【００５１】
本実施の形態では、請求項７に対応して、左右一対の第２の切欠き部９，９を、縁部21を有する対象物20に引掛けたときに、少なくとも左右一対の第２の切欠き部９の一部が縁部21に接触する第４の接触面31を有するから、対象物20の縁部21に第４の接触面31が接触するようにして第２の切欠き部９を引掛けることで、トング１が対象物20に安定して保持され、例えば対象物20を動かした場合にも、トング１が滑り落ちることがない。
【００５２】
尚、本考案は、本実施の形態に限定されるものではなく、本考案の要旨の範囲内で種々の変更実施が可能である。例えば、トング１の材料や、材料の厚み、完成品の厚み等は、通常のトングに使用される範囲内で、適宜選択可能である。また、本考案は、調理用トングに限らず、火ばさみやごみ拾いに用いられるトングなどにも応用可能である。
【符号の説明】
【００５３】
１  トング
２  把持部
３  操作柄部
４  操作部
５  連結部
７  突起部
８  第１の切欠き部
９  第２の切欠き部
10  載置面
12  第１の接触面
13  第２の接触面
15  第１の側面視投影面積
16  第２の側面視投影面積
20  対象物
21  縁部
30  第３の接触面
31  第４の接触面
Ｍ１  第１の挿入位置（幅Ｂ１の中心点）
Ｍ２  第２の挿入位置（幅Ｃ１の中心点）
Ｒ１  第１の底部
Ｒ２  第２の底部
Ｂ２  第１の深さ
Ｃ２  第２の深さ
【図１】
0003206908.tif 000003
【図２】
0003206908.tif 000004
【図３】
0003206908.tif 000005
【図４】
0003206908.tif 000006
【図５】
0003206908.tif 000007
【図６】
0003206908.tif 000008
【図７】
0003206908.tif 000009
【図８】
0003206908.tif 000010
【図９】
0003206908.tif 000011